(57)【要約】【課題】殺菌等の光触媒の有する効果を現場施工でなくても発揮でき、しかも見た目の演出効果向上も期待することのできる面材ユニットを得る。【解決手段】紫外線光に反応して活性化される光触媒が担持された薄膜１５を、面材としてのガラス板１２の表面１３側に形成した。そして、ガラス板１２の裏面３８側には、ガラス板１２に向けて可視光を発する可視光ＬＥＤ２３を有した可視光モジュール２１を設けた。また、ガラス板１２の表面１２側には、ガラス板１２に向けて紫外線光を発する紫外線光ＬＥＤ２４を有した紫外線光モジュール２２を設けた。そして、これらガラス板１２、可視光モジュール２１及び紫外線光モジュール２２により面材ユニット１１を構成した。【選択図】図１
2007186874.tif 000002
【特許請求の範囲】
【請求項１】
紫外線光に反応して活性化される光触媒が表面側に担持されるとともに可視光を透過可能な面材と、
前記面材の裏面側に設けられ、前記面材に向けて可視光を発する可視光発光体を有した可視光モジュールと、
前記面材の表面側に設けられ、前記面材に向けて紫外線光を発する紫外線光発光体を有した紫外線光モジュールと
をユニット化した面材ユニット。
【請求項２】
前記面材の表面側には、紫外線光の乱反射を生じさせるカット面が形成されている請求項１記載の面材ユニット。
【請求項３】
前記可視光モジュール及び紫外線光モジュールは、それぞれ別々の防水ハウジングに収納されて構成されている請求項１又は２記載の面材ユニット。
【請求項４】
前記可視光モジュール及び紫外線光モジュールは、それぞれ前記面材に固定されている請求項１乃至３のいずれかに記載の面材ユニット。
【請求項５】
前記紫外線光モジュールは、前記面材の外周縁全域に延設され、紫外線光発光体を内向きに指向させた請求項１乃至４のいずれかに記載の面材ユニット。
【請求項６】
前記可視光発光体及び紫外線光発光体は、それぞれ可視光ＬＥＤ及び紫外線光ＬＥＤからなる請求項１乃至５のいずれかに記載の面材ユニット。
【請求項７】
キッチンを備え、請求項１乃至６のいずれかに記載の面材ユニットを前記キッチンの天板とした建物。
【請求項８】
浴室を備え、請求項１乃至６のいずれかに記載の面材ユニットを天井板とした建物。
【請求項９】
前記紫外線光モジュールを、浴室の天井廻縁とし、天井廻縁の一部とし、又は天井廻縁に埋め込んだ請求項８記載の建物。
【請求項１０】
トイレ室を備え、請求項１乃至６のいずれかに記載の面材ユニットを前記トイレ室の床板とした建物。
【請求項１１】
前記紫外線光モジュールを、トイレ室の巾木とし、巾木の一部とし、又は巾木に埋め込んだ請求項１０記載の建物。
【請求項１２】
請求項１乃至６のいずれかに記載の面材ユニットを備えた建物、又は請求項７乃至１１のいずれかに記載の建物であって、
前記可視光モジュール及び紫外線光モジュールの一方がオンのときに他方がオフとなるように両者を選択的にオンオフさせる切換手段を備えた建物。
【請求項１３】
人感センサをさらに備え、前記切換手段は、前記人感センサが人を感知すると、紫外線光モジュールをオフに切り換える請求項１２記載の建物。
【発明の詳細な説明】
【技術分野】
【０００１】
本発明は、照明を備えた面材ユニット及びその面材ユニットが天板，天井板，床板等として備えられた建物に関する。
【背景技術】
【０００２】
近年、光触媒を所定の基体の表面にコーティング等により担持させるとともに、基体とは別に設けた紫外線光発光体を照射して、基体の表面を殺菌したり又はその周辺の空気を脱臭若しくは消臭する技術が提案されている（例えば、特許文献１参照）。このような技術は建物内の浴室やトイレ等、居住者の住環境を快適なものとするのにも役立つものとして、その応用が考えられている（例えば、特許文献２参照）。
【０００３】
しかしながら、上記従来の技術では、光触媒が担持されて殺菌等の対象となる基体と、光触媒を活性化させるための紫外線光発光体とが個別に設けられる結果、その設置作業の際に、位置調整を都度行わなければならず、その位置調整作業が煩雑となる。また、位置調整が上手くいかないと光触媒への紫外線光の照射量が不十分となって期待したほどの殺菌等の効果が得られないおそれがある。さらに、基体と紫外線光発光体とが別々に配置されるため、両者が離間して配置されることも避けられず、紫外線光が基体に到達するまでに減衰してしまうおそれがある。また、実用性を考慮した場合、天井等の面材と照明との一体感がなく、住環境向上に不可欠な見た目上の演出効果が低いという問題もある。
【特許文献１】特開平９−９４１号公報
【特許文献２】特開平１０−３１４２８０号公報
【発明の開示】
【発明が解決しようとする課題】
【０００４】
本発明は、上記した従来の問題点を解決し、殺菌等の光触媒の有する効果を現場施工でなくても発揮でき、しかも見た目の演出効果向上も期待することのできる面材ユニット及びその面材ユニットを備えた建物を提供することを主たる目的の一つとする。
【課題を解決するための手段】
【０００５】
上記課題を解決するのに有効な手段につき、必要に応じて作用、効果、より踏み込んだ具体的手段等を示しつつ説明する。なお、理解を容易にするため、発明の実施の形態において対応する主要な構成を括弧書きで適宜示すが、この括弧書きで示した具体的構成に限定されない。
【０００６】
本発明は、紫外線光に反応して活性化される光触媒（薄膜１５）が表面（表面１３）側に担持されるとともに可視光を透過可能な面材（ガラス板１２）と、前記面材の裏面（裏面３８）側に設けられ、前記面材に向けて可視光を発する可視光発光体（可視光ＬＥＤ２３）を有した可視光モジュール（可視光モジュール２１）と、前記面材の表面側に設けられ、前記面材に向けて紫外線光を発する紫外線光発光体（紫外線光ＬＥＤ２４）を有した紫外線光モジュール（紫外線光モジュール２２）とをユニット化して面材ユニット（面材ユニット１１）を構成した。
【０００７】
この発明によれば、可視光発光体が面材の裏面側において発光されると、面材が面発光されることになり、落ち着いた雰囲気の照明演出を実現することができる。一方、紫外線光発光体が面材の表面側において発光されると、その紫外線光が面材の表面に照射されて
光触媒が活性化される結果、面材の表面を殺菌することができる。
【０００８】
また、面材、可視光モジュール及び紫外線光モジュールがまとめてユニット化されているため、建物の建築現場における面材と可視光モジュールとの位置調整や、面材と紫外線光モジュールとの位置調整が不要となる。これにより、面材ユニットの取付作業が容易になる。そればかりか、位置調整作業が予め行われていて現場施工者に委ねられない結果、面発光に偏りが生じて建物環境が低下したり、光触媒への紫外線光の照射量が不十分となって期待したほどの殺菌等の効果が得られないという不都合も回避し得る。
【０００９】
さらに、このような予めユニット化した面材ユニットを用いることにより、可視光モジュール及び紫外線光モジュールを含めた全体をコンパクトにまとめることができる。
【００１０】
ここで、上記面材の表面側には、紫外線光の乱反射を生じさせるカット面（カット面１４）を形成することが好ましい。これにより、面材の表面に照射される紫外線が乱反射されて、面材の表面側における周辺雰囲気の脱臭や消臭効果等も高められるからである。
【００１１】
上記可視光モジュール及び紫外線光モジュールは、それぞれ別々の防水ハウジング（防水ハウジング３６）に収納して構成することが好ましい。これにより、住宅等の建物に多い、水分を使用する環境下や、水分が発生しやすい環境下での使用に耐えられるからである。
【００１２】
上記可視光モジュール及び紫外線光モジュールは、それぞれ面材に固定されるものであることが好ましい。このようなユニット構造であれば、面材ユニットを一層コンパクトなものとすることができるからである。そして、コンパクト化された面材ユニットであれば取扱いが容易になるし、建物の壁、床、天井、その他の各種面材として設置された場合の美観向上にも寄与し得る。
【００１３】
上記紫外線光モジュールは、上記面材の外周縁全域に延設され、紫外線光発光体を内向きに指向させることが好ましい。これによれば、紫外線光が面材全域に均等に及び易く、表面の殺菌性能が高められるし、紫外線光モジュールが面材の表面側に設けられているにもかかわらず極力目立たないようにすることができる。
【００１４】
上記可視光発光体及び紫外線光発光体は、それぞれ可視光ＬＥＤ及び紫外線光ＬＥＤからなることが好ましい。これにより、可視光モジュール及び紫外線光モジュール自体もコンパクトなものとすることができ、面材ユニットの一層のコンパクト化を図ることができるからである。また、比較的発熱量も少なく、長期にわたり発光させても必要電力量が少なくて済み経済的だからである。さらに、可視光ＬＥＤ及び紫外線光ＬＥＤは、比較的長寿命であってメンテナンスを頻繁に行わずに済むし、多数の可視光ＬＥＤ及び紫外線光ＬＥＤを用いるのが想定されるがこの場合にあっては若干数のＬＥＤが切れても支障なく使用することができるからである。
【００１５】
以上説明した面材ユニットは、建物における以下の各所への適用が可能である。
【００１６】
例えば、面材ユニットをキッチン（システムキッチン６１）の天板（天板６２）とすることが可能である。この適用例によれば、調理後などにおいて天板の上面である作業面（作業面６３）を殺菌することができ、作業面を清潔に保つことができる。また、作業面上方の空気の脱臭及び防臭効果も期待し得る。さらに、天板の裏面側からの可視光によって天板が面発光されるから、調理する者に照明による演出効果を楽しませることができる。
【００１７】
また、面材ユニットを浴室（浴室４１）の天井板（天井板４２）とすることが可能であ
る。この場合、紫外線光モジュールを浴室の天井廻縁（天井廻縁４４）とし、天井廻縁の一部とし、又は天井廻縁に埋め込むことが好ましい。この適用例によれば、入浴後などにおいて天井板の下面である天井面（天井面４３）を殺菌することができ、天井面を清潔に保つことができる。また、浴室内の空気の脱臭及び防臭効果も期待し得る。さらに、天井板の裏面側からの可視光によって天板が面発光されるから、入浴する者に照明による演出効果を楽しませることができる。また、紫外線光モジュールに浴室の天井廻縁の機能をもたせれば、殺菌用機器が外部に露出されているという印象がなくなり美観に優れる。
【００１８】
また、面材ユニットをトイレ室（トイレ室５１）の床板（床板５２）とすることが可能である。この場合、紫外線光モジュールをトイレ室の巾木（巾木５４）とし、巾木の一部とし、又は巾木に埋め込むことが好ましい。この適用例によれば、トイレ室からの退室後などにおいて床板の上面である床面（床面５３）を殺菌することができ、床面を清潔に保つことができる。また、トイレ室内の空気の脱臭及び防臭効果も期待し得る。さらに、床板の裏面側からの可視光によって床板が面発光されてトイレ室内における今までにない照明の演出を実現することができる。また、紫外線光モジュールにトイレ室の巾木の機能をもたせれば、殺菌用機器が外部に露出されているという印象がなくなり美観に優れる。
【００１９】
以上の各面材ユニットを備えた建物においては、可視光モジュール及び紫外線光モジュールの一方がオンのときに他方がオフとなるように両者を選択的にオンオフさせる切換手段（コントローラ４６，５６，７６）を備えることが好ましい。これによれば、照明として必要な場合には可視光モジュールの可視光発光体のみが発光され、殺菌処理として必要な場合には紫外線モジュールの紫外線光発光体のみが発光され、両者が同時に発光されることがないので、照明としての利用時に紫外線光が照射される事態を回避し得る。
【００２０】
また、人感センサ（人感センサ４５，５５）をさらに備え、上記切換手段は、人感センサが人を感知すると紫外線光モジュールをオフに切り換えるようにすることが好ましい。これにより、人が面材ユニットの照明領域に至った場合には面発光による照明演出が行われる一方で紫外線モジュールからの紫外線発光が中止されるので、人が能動的にスイッチ操作をしなくても適切な切り換えを自動的に行うことができる。
【発明を実施するための最良の形態】
【００２１】
以下に、発明を具体化した一実施の形態について図１を参照しつつ説明する。なお、図１（ａ）は光透過性面材ユニットの正面図、図１（ｂ）はＬＥＤモジュールの平面図、図１（ｃ）は面材の一部拡大図である。
【００２２】
本実施形態では、面材ユニット１１を構成する面材として、光透過性を有するガラス板１２が用いられている。ガラス板１２の表面１３には非常に細かな反射カット加工が施されることで、同表面１３はカット面１４となっている。また、そのカット面１４には、紫外線光に反応して活性化される光触媒を担持した薄膜１５がコーティングにより形成されている。なお、このような光触媒としては、二酸化チタンが代表例として挙げられる。
【００２３】
面材ユニット１１は、前記ガラス板１２に加え、可視光モジュール２１及び紫外線光モジュール２２を備えている。可視光モジュール２１は可視光発光体として可視光ＬＥＤ２３を有し、紫外線光モジュール２２は紫外線光発光体として紫外線光ＬＥＤ２４を有している。なお、紫外線光ＬＥＤ２４は例えば３６０〜４００ｎｍの範囲の紫外線光を発光させるものである。
【００２４】
ここで、可視光モジュール２１及び紫外線光モジュール２２は、可視光ＬＥＤ２３を用いているか紫外線光ＬＥＤ２４を用いているかの違いを除き、基本的構成は同一である。したがって、以下においては、可視光モジュール２１及び紫外線光モジュール２２の基本
構成について、可視光モジュール２１についてのみ説明し、紫外線光モジュール２２についての基本構成については説明を省略する。
【００２５】
可視光モジュール２１は、一方向へ延びるように長尺状に形成されたＬＥＤハウジング３１を備えている。ＬＥＤハウジング３１の正面には長手方向に所定間隔をおいて円形の開口部３２が多数形成され、各開口部３２はレンズ３３によりそれぞれ閉塞されている。ＬＥＤハウジング３１には、各レンズ３３に対峙するようにパラボラ等の凹形状に形成された反射鏡３４がそれぞれ設けられている。ＬＥＤハウジング３１の反射鏡３４よりも裏側位置には、同ＬＥＤハウジング３１の長手方向に延びる基板３５が収容されている。基板３５には、前記開口部３２と同数の可視光ＬＥＤ２３がそれと同一間隔で実装されている。各可視光ＬＥＤ２３は反射鏡３４の中央最奥部に形成された開口からその先端部が突出されるように位置決めされている。したがって、上記可視光モジュール２１においては、基板３５を介して各可視光ＬＥＤ２３に電流を流すと、各可視光ＬＥＤ２３が発光される。この光は反射鏡３４及びレンズ３３により概ね直進するように投光される。
【００２６】
可視光モジュール２１は、ＬＥＤハウジング３１全体を防水ハウジング３６に覆われており、ＬＥＤハウジング３１内への水分の浸入が阻止されている。上記のとおり、紫外線光モジュール２２も可視光モジュール２１と同様の構成を有している。防水ハウジング３６には紫外線光が減衰されにくい素材が用いられており、本実施形態では石英ガラスや紫外線光の透過性の高いアクリルが使用されている。
【００２７】
そして、可視光モジュール２１は可視光ＬＥＤ２３がその投光方向をガラス板１２の板面に平行となるように配置された状態で、ガラス板１２の裏面３８に固定されている。また、紫外線光モジュール２２は紫外線光ＬＥＤ２４がその投光方向をガラス板１２の板面に平行となるように配置された状態で、ガラス板１２の表面１３に固定されている。以上のようにして、ガラス板１２、可視光モジュール２１及び紫外線光モジュール２２がユニット化された面材ユニット１１が構成されている。
【００２８】
このような面材ユニット１１において、そのガラス板１２が建物の壁、床、天井、その他の各種面材として設置されると、次のような効果が得られる。
【００２９】
すなわち、可視光ＬＥＤ２３がガラス板１２の裏面３８側において発光されることにより、その可視光がガラス板１２を介して面発光されることになり、ガラス板１２の表面側から見ると穏やかなイメージを演出することができる。また、可視光ＬＥＤ２３がガラス板１２の外周縁全域に配設されていることにより面発光が均等に及ぶし、さらに各可視光ＬＥＤ２３をガラス板１２の内向きに指向させたことにより柔らかい光の演出が実現される。
【００３０】
一方、紫外線光ＬＥＤ２４がガラス板１２の表面１３側において発光されることにより、その紫外線光がガラス板１２の表面１３に照射される。ガラス板１２の表面１３には光触媒が担持された薄膜１５が形成されているため、ガラス板１２の表面１３を殺菌することができる。また、紫外線光ＬＥＤ２４がガラス板１２の外周縁全域に配設されていることにより紫外線光がガラス板１２の表面１３全域に及び易く、表面１３の殺菌性能が高められる。
【００３１】
また、ガラス板１２の表面１３はカット面１４とされているため、紫外線光がカット面１４において乱反射し、ガラス板１２の表面１３側における周辺雰囲気の脱臭・消臭効果が高められる。
【００３２】
また、可視光モジュール２１及び紫外線光モジュール２２がいずれも防水ハウジング３
６に収納されているため、住宅等の建物に多い、水分を使用する環境下や、水分が発生しやすい環境下での使用に耐えられる。
【００３３】
また、発光体が可視光ＬＥＤ２３及び紫外線光ＬＥＤ２４よりなることから、長寿命であってメンテナンスを頻繁に行わずに済むし、多数の可視光ＬＥＤ２３及び紫外線光ＬＥＤ２４を用いているから、若干数の可視光ＬＥＤ２３及び紫外線光ＬＥＤ２４が切れても支障なく使用することができる。また、可視光ＬＥＤ２３及び紫外線光ＬＥＤ２４を使用しているので、発熱量も少なく、長期にわたり発光させても必要電力量が少なくて済むから経済的である。
【００３４】
また、ガラス板１２、可視光モジュール２１及び紫外線光モジュール２２がまとめてユニット化されているため、建築現場におけるガラス板１２と可視光モジュール２１との位置調整や、ガラス板１２と紫外線光モジュール２２との位置調整が不要となる。これにより、面材ユニット１１の取付作業が容易になる。そればかりか、位置調整作業が予め行われていて現場施工者に委ねられない結果、面発光に偏りが生じて住環境が低下したり、光触媒への紫外線光の照射量が不十分となって期待したほどの殺菌等の効果が得られないという不都合も回避し得る。
【００３５】
さらに、このような予めユニット化した面材ユニット１１を用いることにより、可視光モジュール２１及び紫外線光モジュール２２を含めたユニット全体をコンパクトにまとめることができる。しかも、発光体が可視光ＬＥＤ２３及び紫外線光ＬＥＤ２４よりなることから、可視光モジュール２１及び紫外線光モジュール２２自体もコンパクトなものとすることができる。さらに、ガラス板１２に対して可視光モジュール２１及び紫外線光モジュール２２を固定することによりユニット化されているため、一層コンパクトなものとなる。これにより、面材ユニット１１の取扱いが容易になるし、建物の壁、床、天井、その他の各種面材として設置された場合の美観向上にも寄与し得る。
【００３６】
［適用例］
以上説明した面材ユニット１１には各種の有用な適用例がある。そこで、以下に各適用例について図２乃至図５を参照しつつ個別に説明する。但し、図２乃至図５は、白抜きの丸で可視光ＬＥＤ２３を表現するとともに黒塗りの丸で紫外線光ＬＥＤ２４を表現した説明図である。また、以下の説明では、これまでに説明した構成及び効果と異なる点のみ説明する。
【００３７】
（適用例１）
適用例１は、図２に示すように、前記面材ユニット１１を浴室４１の天井板４２に適用した例である。すなわち、浴室４１の天井板４２を面材ユニット１１のガラス板１２によって構成し、下面、すなわち天井面４３が表面１３となるようにして取り付けられている。
【００３８】
ガラス板１２の裏面３８すなわち天井裏側の可視光モジュール２１の各可視光ＬＥＤ２３が発光することにより、天井面４３が面発光される。なお、この適用例１では、可視光モジュール２１はガラス板１２の外周縁ではなく板面に沿って複数平行に並べられており、かつ下方へ可視光が照射されるように可視光モジュール２１の取り付け方向が変更されている。これにより、十分な照度で浴室４１を明るくすることができる。一方、紫外線光モジュール２２の各紫外線光ＬＥＤ２４が発光することにより、天井面４３が殺菌される。また、ガラス板１２は乳白色に着色されている。さらに、紫外線光モジュール２２は、天井廻縁４４とされている。
【００３９】
ここで、浴室４１には、当該浴室４１に人が入室したことを検知する人感センサ４５が
設けられている。また、人感センサ４５、可視光モジュール２１及び紫外線光モジュール２２にそれぞれ接続されたコントローラ４６が建物内に設けられている。
【００４０】
そして、人感センサ４５により人が感知されると、検知信号がコントローラ４６に出力される。コントローラ４６はその検知信号を受けると、可視光モジュール２１をオンさせて各可視光ＬＥＤ２３を点灯させる一方、紫外線光モジュール２２をオフさせて紫外線光ＬＥＤ２４を消灯させる。他方、コントローラ４６は人感センサ４５からの検知信号を受けていない状態では、可視光モジュール２１をオフさせて各可視光ＬＥＤ２３を消灯させる一方、紫外線光モジュール２２をオフさせて紫外線光ＬＥＤ２４を点灯させる。
【００４１】
以上により、適用例１では、次のような効果を奏する。
【００４２】
すなわち、人が浴室４１に入室すると、人感センサ４５が検知し、各可視光ＬＥＤ２３が点灯する一方で各紫外線光ＬＥＤ２４が消灯する。したがって、人が特に意識せずとも入室に伴い照明が点灯されるし、紫外線光による影響を回避し得る。
【００４３】
また、人が浴室４１から退室すると、人感センサ４５による人の検知がなくなり、各可視光ＬＥＤ２３が消灯する一方で各紫外線光ＬＥＤ２４が点灯する。したがって、人が特に意識せずとも退室に伴い照明が消灯されることで無駄な照明点灯コストが低減され、自動的に天井面４３が殺菌される。また、浴室４１内の空気の脱臭及び防臭効果もある。
【００４４】
さらに、天井板４２を構成するガラス板１２は乳白色に着色されているから、各可視光ＬＥＤ２３が点灯することによる面発光で、ゆったりとした落ち着きを醸し出すよう演出することができる。
【００４５】
さらにまた、紫外線光モジュール２２が天井廻縁４４を兼用することになるため、殺菌用機器が外部に露出されているという印象がなくなり、美観に優れるという効果もある。
【００４６】
（適用例２）
適用例２は、図３に示すように、前記面材ユニット１１をトイレ室５１の床板５２に適用した例である。すなわち、浴室４１の天井板４２を面材ユニット１１のガラス板１２によって構成し、上面、すなわち床面５３が表面１３となるようにして取り付けられている。
【００４７】
ガラス板１２の裏面３８すなわち床下側の可視光モジュール２１の各可視光ＬＥＤ２３が発光することにより、床面５３は面発光される。なお、この適用例２でも、適用例１と同様に、可視光モジュール２１はガラス板１２の外周縁ではなく板面に沿って複数平行に並べられており、かつ上方へ可視光が照射されるように可視光モジュール２１の取り付け方向が変更されている。これにより、十分な照度でトイレ室５１を明るくすることができる。一方、紫外線光モジュール２２の各紫外線光ＬＥＤ２４が発光することにより、床面５３が殺菌される。また、紫外線光モジュール２２は、巾木５４とされている。
【００４８】
ここで、トイレ室５１には、当該トイレ室５１に人が入室したことを検知する人感センサ５５が設けられている。また、人感センサ５５、可視光モジュール２１及び紫外線光モジュール２２にそれぞれ接続されたコントローラ５６が建物内に設けられている。
【００４９】
そして、人感センサ５５により人が感知されると、検知信号がコントローラ５６に出力される。コントローラ５６はその検知信号を受けると、可視光モジュール２１をオンさせて各可視光ＬＥＤ２３を点灯させる一方、紫外線光モジュール２２をオフさせて紫外線光ＬＥＤ２４を消灯させる。他方、コントローラ５６は人感センサ５５からの検知信号を受
けていない状態では、可視光モジュール２１をオフさせて各可視光ＬＥＤ２３を消灯させる一方、紫外線光モジュール２２をオフさせて紫外線光ＬＥＤ２４を点灯させる。
【００５０】
以上により、適用例２では、次のような効果を奏する。
【００５１】
すなわち、人がトイレ室５１に入室すると、人感センサ５５が検知し、各可視光ＬＥＤ２３が点灯する一方で各紫外線光ＬＥＤ２４が消灯する。したがって、人が特に意識せずとも入室に伴い照明が点灯されるし、紫外線光による影響を回避し得る。特に、床面５３の面発光によって今までにない照明の演出をトイレ室５１において実現することができる。
【００５２】
また、人がトイレ室５１から退室すると、人感センサ５５による人の検知がなくなり、各可視光ＬＥＤ２３が消灯する一方で各紫外線光ＬＥＤ２４が点灯する。したがって、人が特に意識せずとも退室に伴い照明が消灯されることで無駄な照明点灯コストが低減され、自動的に床面５３が殺菌される。また、トイレ室５１内の空気の脱臭及び防臭効果もある。
【００５３】
さらに、床板５２の床面５３は、ガラス板１２の表面１３側に相当するため、微細なカットが施されたカット面１４を有する。これにより、紫外線光を乱反射させる効果に加えて人の歩行時の滑り止め効果が得られる効果が得られる。
【００５４】
さらにまた、紫外線光モジュール２２が巾木５４を兼用することになるため、殺菌用機器が外部に露出されているという印象がなくなり、美観に優れるという効果もある。
【００５５】
（適用例３）
適用例３は、図４に示すように、前記面材ユニット１１を台所設備としてのシステムキッチン６１の天板６２に適用した例である。すなわち、システムキッチン６１の天板６２を面材ユニット１１のガラス板１２によって構成し、上面、すなわち作業面６３が表面１３となるようにして取り付けられている。
【００５６】
ガラス板１２の裏面３８すなわち天板６２下側の可視光モジュール２１の各可視光ＬＥＤ２３が発光することにより、作業面６３は面発光される。一方、紫外線光モジュール２２の各紫外線光ＬＥＤ２４が発光することにより、作業面６３が殺菌される。また、紫外線光モジュール２２は、システムキッチン６１の奥側に配設されている。
【００５７】
ここで、システムキッチン６１又はそのシステムキッチン６１を有したキッチン室には、照明スイッチ６４及び殺菌スイッチ６５が設けられている。また、照明スイッチ６４、殺菌スイッチ６５、可視光モジュール２１及び紫外線光モジュール２２にそれぞれ接続されたコントローラ６６が建物内に設けられている。
【００５８】
そして、照明スイッチ６４が操作されると、照明操作信号がコントローラ６６に出力される。コントローラ６６はその照明操作信号を受けると、可視光モジュール２１をオンさせて各可視光ＬＥＤ２３を点灯させる。他方、殺菌スイッチ６５が操作されると、殺菌操作信号がコントローラ６６に出力される。コントローラ６６はその殺菌操作信号を受けると、紫外線光モジュール２２をオフさせて紫外線光ＬＥＤ２４を点灯させる。
【００５９】
以上により、適用例３では、次のような効果を奏する。
【００６０】
すなわち、照明スイッチ６４が操作されると、各可視光ＬＥＤ２３が点灯する。これにより、システムキッチン６１における天板６２の作業面６３が面発光され、調理時等にお
ける照明演出の効果が得られる。
【００６１】
また、殺菌スイッチ６５が操作されると、各紫外線光ＬＥＤ２４が点灯する。これにより、調理後などにおいて作業面６３を殺菌することができ、作業面６３を清潔に保つことができる。また、作業面６３上方の空気の脱臭及び防臭効果もある。
【００６２】
さらに、照明スイッチ６４及び殺菌スイッチ６５は人が能動的に操作することによりオンされるものであるから、人の意思によって照明演出を楽しんだり殺菌処理することができる。
【００６３】
（適用例４）
適用例４は、図５に示すように、前記面材ユニット１１を靴箱等の収納室７１の棚板７２に適用した例である。すなわち、収納室７１の棚板７２を面材ユニット１１のガラス板１２によって構成し、上面、すなわち靴等の収納物が載置される載置面７３が表面１３となるようにして取り付けられている。
【００６４】
ガラス板１２の裏面３８すなわち棚板７２下側の可視光モジュール２１の各可視光ＬＥＤ２３が発光することにより、載置面７３は面発光され、ゆったりとした落ち着きを醸し出すよう演出される。なお、この適用例４でも、適用例１，２と同様に、可視光モジュール２１はガラス板１２の外周縁ではなく板面に沿って複数平行に並べられており、かつ上方へ可視光が照射されるように可視光モジュール２１の取り付け方向が変更されている。一方、紫外線光モジュール２２の各紫外線光ＬＥＤ２４が発光することにより、載置面７３が殺菌される。また、紫外線光モジュール２２は、棚板７２の出し入れ口側を除く外周縁に門型に配設されており、収納物の出し入れの邪魔とならないようにされている。
【００６５】
ここで、収納室７１には、収納物の出し入れを行う際に開閉される扉７４が設けられ、また当該扉７４が開放されたことを検知する開放スイッチ７５が設けられている。また、開放スイッチ７５、可視光モジュール２１及び紫外線光モジュール２２にそれぞれ接続されたコントローラ７６が建物内に設けられている。
【００６６】
そして、開放スイッチ７５により扉７４の開放が検知されると、開放検知信号がコントローラ７６に出力される。コントローラ７６はその開放検知信号を受けると、可視光モジュール２１をオンさせて各可視光ＬＥＤ２３を点灯させる一方、紫外線光モジュール２２をオフさせて紫外線光ＬＥＤ２４を消灯させる。他方、コントローラ７６は開放スイッチ７５からの開放検知信号を受けていない状態では、可視光モジュール２１をオフさせて各可視光ＬＥＤ２３を消灯させる一方、紫外線光モジュール２２をオフさせて紫外線光ＬＥＤ２４を点灯させる。
【００６７】
以上により、適用例４では、次のような効果を奏する。
【００６８】
すなわち、収納室７１の扉７４を開放すると、開放スイッチ７５がこれを検知し、各可視光ＬＥＤ２３が点灯する一方で各紫外線光ＬＥＤ２４が消灯する。したがって、収納室７１の靴その他の荷物を出し入れしようとする場合、扉７４を開放するだけで収納室７１内が照らされ、その照明を利用して荷物の出し入れを行うことができる。しかも、棚板７２毎に照らされるため、棚板７２の数が多数枚に及ぶような収納室７１においても荷物の視認性を十分確保することができる。また、載置面７３の面発光に伴う照明演出の効果も生じる。
【００６９】
また、扉７４が閉じると、自動的に各可視光ＬＥＤ２３が消灯する一方で各紫外線光ＬＥＤ２４が点灯する。したがって、人が特に意識せずとも扉７４の閉鎖に伴い照明が消灯
されることで無駄な照明点灯コストが低減され、また自動的に棚板７２の載置面７３が殺菌される。さらに、扉７４を閉じた状態では収納室７１が閉鎖環境とされるが、この際に各紫外線光ＬＥＤ２４が点灯されるので、載置面７３の殺菌効果のみならず、収納室７１内の全体において菌の増殖を抑えつつ内部の空気の脱臭及び防臭効果を高めることができる。
【００７０】
［他の実施形態及び他の適用例］
なお、以上説明した実施形態及び各適用例に限らず、さらに以下に別例として示した形態での実施や適用が可能である。
【００７１】
・上記実施形態では、ガラス板１２に可視光モジュール２１及び紫外線光モジュール２２を直接固定するようにしたが、全体としてユニット化されていればよく、スペーサその他を介して可視光モジュール２１及び紫外線光モジュール２２がガラス板１２と一体化されていてもよい。
【００７２】
・上記実施形態では、ガラス板１２の表面１３側には紫外線光ＬＥＤ２４だけが設けれたものを例示したが、ガラス板１２の表面１３側において、可視光ＬＥＤ２３が一部存在するものであってもよい。この場合、可視光ＬＥＤ２３により面発光による既述の効果に加え、直接的な照明の効果も得られる。
【００７３】
・上記実施形態では、紫外線光モジュール２２の各紫外線光ＬＥＤ２４の軸線がガラス板１２の表面１３と平行となるように配置したが、各紫外線光ＬＥＤ２４が若干表面１３側に傾いた状態に配置することもできる。これにより、ガラス板１２の表面１３に及ぶ紫外線光の照射量が増大し得る。但し、この場合においては表面１３の全域に紫外線光が及ぶように考慮されなければならない。
【００７４】
・適用例１では紫外線光モジュール２２そのものによって天井廻縁４４を構成したが、これに代えて、天井廻縁４４の一部として紫外線光モジュール２２を用いたり、天井廻縁４４内に紫外線光モジュール２２を埋め込んでもよい。適用例２における巾木５４に関しても同様である。但し、これらの場合、各紫外線光ＬＥＤ２４からの紫外線光が遮断されないようにする必要がある。
【００７５】
・上記した各適用例以外にも、面材ユニット１１を、例えば屋内の壁面に使用したり、階段の段板に用いることができる。いずれにしても、表面１３を殺菌する必要性がありかつ裏面３８からの可視光による面発光の演出を楽しませるのに適した環境での使用が好ましい。
【図面の簡単な説明】
【００７６】
【図１】本実施形態を示し、（ａ）はガラスユニットの断面図、（ｂ）はＬＥＤユニットの一部正面図、（ｃ）はガラスユニットの一部断面図。
【図２】浴室の天井板への適用例１を示す説明図。
【図３】トイレ室の床板への適用例２を示す説明図。
【図４】キッチン天板への適用例３を示す説明図。
【図５】靴箱の棚板への適用例４を示す説明図。
【符号の説明】
【００７７】
１１…面材ユニット、１２…面材としてのガラス板、１３…表面、１４…カット面、１５…薄膜、２１…可視光モジュール、２２…紫外線光モジュール、２３…可視光発光体としての可視光ＬＥＤ、２４…紫外線光発光体としての紫外線光ＬＥＤ、３６…防水ハウジング、３８…裏面、４１…浴室、４２天井板、４３…天井面、４４…天井廻縁、４５…人
感センサ、４６…切換手段としてのコントローラ、５１…トイレ室、５２…床板、５３…床面、５４…巾木、５５…人感センサ、５６…切換手段としてのコントローラ、６１…システムキッチン、６２…天板、６３…作業面、６４…照明スイッチ、６５…殺菌スイッチ、６６…コントローラ、７１…収納室、７２…棚板、７３…載置面、７４…扉、７５…開放スイッチ、７６…切換手段としてのコントローラ。
【図１】
2007186874.tif 000003
【図２】
2007186874.tif 000004
【図３】
2007186874.tif 000005
【図４】
2007186874.tif 000006
【図５】
2007186874.tif 000007